(57)【要約】      （修正有）【課題】傾斜シュートに緩衝装置を設けた場合であっても、該集塵装置で発生する塵埃を効果的に集塵することができる穀物シュート配管における集塵装置を提供することを目的とする。【解決手段】投入される穀物を斜め下向きに流下案内する傾斜シュート２下端部に、傾斜シュート下端部と連通する流入口３と、流入口と対向する底面６と、底面の最低辺に接するとともに流入口面と略直角に位置する排出口７と、を備えてなる緩衝箱１を設け、緩衝箱における排出口に対向する側面には連通口１２を設けるとともに、連通口に連通する集塵箱１３を緩衝箱と一体に設け、集塵箱には連通口と対向するよう排塵口１４を設け、排塵口に排塵管を接続することを特徴とする。【選択図】図１
2018065679.tif 000002
【特許請求の範囲】
【請求項１】
投入される穀物を斜め下向きに流下案内する傾斜シュート下端部に、該傾斜シュート下端部と連通する流入口と、該流入口と対向する底面と、該底面の最低辺に接するとともに前記流入口面と略直角に位置する排出口と、を備えてなる緩衝箱を設け、該緩衝箱における前記排出口に対向する側面には連通口を設けるとともに該連通口に連通する集塵箱を前記緩衝箱と一体に設け、前記集塵箱には前記連通口と対向するよう排塵口を設け、該排塵口に排塵管を接続することを特徴とする穀物シュート配管における集塵装置。      
【請求項２】
前記排出口には、該排出口の大きさを可変とすべくスライド可能な規制板を設けてなる請求項１の穀物シュート配管における集塵装置。
【発明の詳細な説明】
【技術分野】
【０００１】
本発明は、米麦や豆類を含む穀物を搬送するための穀物シュート配管に係り、特に、穀物シュート配管における集塵装置に関する。
【背景技術】
【０００２】
従来、特許文献１等で知られるシュート配管を使って穀物を自重で流下させると、加速度がついて流下速度が速くなり、そのため、シュート配管部においては効果的な集塵は難しく、通常、集塵は、バケットエレベータ等の比較的搬送速度の遅い搬送機で行ったり、シュート配管が接続される個々の機械装置において行ったりしている。
【０００３】
しかしながら、特許文献１のように、穀物が傾斜シュートを流下する方向に略直交する底面を有する緩衝装置を設けた場合、前記底面に穀物粒が高速で衝突する際、穀物中に含まれる塵埃（じんあい）が大量に舞い上がり、次工程の機械装置における集塵装置では十分除去しきれないという問題があった。
【先行技術文献】
【特許文献】
【０００４】
【特許文献１】実開平３−２８３９３
【発明の概要】
【発明が解決しようとする課題】
【０００５】
本発明は、上記問題点にかんがみ、傾斜シュートに緩衝装置を設けた場合であっても、該集塵装置で発生する塵埃を効果的に集塵することができる穀物シュート配管における集塵装置を提供することを目的とする。
【課題を解決するための手段】
【０００６】
上記目的を達成するため、本発明の穀物シュート配管における集塵装置は、
投入される穀物を斜め下向きに流下案内する傾斜シュート下端部に、該傾斜シュート下端部と連通する流入口と、該流入口と対向する底面と、該底面の最低辺に接するとともに前記流入口面と略直角に位置する排出口と、を備えてなる緩衝箱を設け、該緩衝箱における前記排出口に対向する側面には連通口を設けるとともに該連通口に連通する集塵箱を前記緩衝箱と一体に設け、前記集塵箱には前記連通口と対向するよう排塵口を設け、該排塵口に排塵管を接続することを特徴とする。      
【０００７】
前記排出口には、該排出口の大きさを可変とすべくスライド可能に規制板を設けるとよい。
【発明の効果】
【０００８】
緩衝箱内は、穀物粒が前記底面の穀物層に衝突することによって発生する塵埃が舞い上がり、集塵箱内に流入して排塵口から排塵管を経て集塵されるが、粉塵は緩衝箱から集塵箱内を経て排塵管に流入するため、緩衝箱内の穀物粒が塵埃と共に前記排塵管に排出されることがない。
【０００９】
緩衝箱の排出口に規制板を設けることで、被搬送穀物の流量が少ない場合でも底面に一定の穀物層を形成することができて緩衝作用を保持することができる。
【図面の簡単な説明】
【００１０】
【図１】本発明の実施の形態を示す緩衝箱の一部破断側面図である。
【図２】図１の緩衝箱の平面図である。
【図３】図1の乾燥箱の斜視図である。
【発明を実施するための形態】
【００１１】
以下、図面を参照しつつ本発明の実施の形態に係る穀物シュート配管における集塵装置について説明する。
図１において、傾斜シュート２の傾斜下端部に緩衝箱１が設けられる。すなわち、略箱状の緩衝箱１の一面に設けた丸孔形状の流入口３から外方へ突設した流入側移送管４と、前記傾斜シュート２の傾斜下端部とを連結バンド５によって接続する。
前記緩衝箱１において、前記流入口３を設けた面と対向する面を底面６となす。該底面６にはウレタンゴムを貼設することもできる。前記流入口３を開口した面及び前記底面６は前記傾斜シュート２の傾斜角に対して略直交する関係にあり、したがって、前記流入口３を設けた面及び前記底面６は共に傾斜状に設けられる。
【００１２】
前記底面６は傾斜状の矩形面であり、その最も低い一辺と前記流入口３を開口する面の最も低い一辺との間を排出口７となす。前記排出口７は略正方形を呈しており、その排出口７の大きさを可変とすべく、規制板８が緩衝箱１の上方から挿入して設けられる。すなわち、前記規制板８は、前記排出口７の対向する左右一対の内側面に設けたスライド溝（図示せず）によって上下動自在に装着されるとともに、蝶ナット等によって固定される。
前記底面６には比較的板厚の底板６ａを蝶ボルト等によって着脱可能に設けることができる。この場合は、前記底板６ａが摩耗した場合に交換が容易である。
【００１３】
前記排出口７にホッパー状の排出樋９を接続して設け、該排出樋９下端には下方に向く排出側移送管１０を設け、該排出側移送管１０に竪シュート１１を連結バンド１２によって接続する。
【００１４】
一方、前記緩衝箱１の排出口７に対向する傾斜面に矩形の連通口１２を設けるとともに該連通口１２を覆うように集塵箱１３を設ける。前記集塵箱１３は略直方体となし、その長手方向一端の底部を開口して前記連通口１２と連通させ、前記集塵箱１３を前記緩衝箱１と一体に形成する。
【００１５】
前記集塵箱１３において、前記連通口１２と対向する傾斜上位側には排塵口１４を開口し、該排塵口１４に排塵管１５を立設して接続する。すなわち、前記集塵箱１３は、前記緩衝箱１の傾斜した面に一体に設けられるので、集塵箱１３の前記排塵口１４は傾斜最上端部に設けられることになる。
なお、本実施の形態では、前記連通口１２と対向する傾斜上位側に水平面１４ａを設け、該水平面１４ａに前記排塵口１４を設けたが、これに限ることなく、前記連通口１２と対向する面に前記排塵口１４を設けることもできる。
【００１６】
本実施の形態によれば、傾斜シュート２内を自重によって高速流下する穀物、例えば小豆等は、当初、緩衝箱１の流入口３から流入して底面６に直接衝突するが、順次流入する小豆は、緩衝箱１の底部に常時一定量が存在して穀物層を形成する。これにより、流入口３から流入する小豆粒子は、前記穀物層に衝突することによって軟着陸することができるので、小豆に傷が生じたり飛び跳ねたりすることがなく、排出口７から排出樋９内へ流出して排出側移送管１０及び竪シュート１１を経由して次工程へ搬送される。
【００１７】
そして、何らかの理由により前工程からの小豆の移送量が減少した場合は、規制板８を下方へスライドさせて排出口７の大きさを小さくすることによって、緩衝箱１底部には一定量の小豆が存在し、緩衝作用を保持することができる。前工程からの小豆の移送がなくなれば、小豆は傾斜した底面６を転動して下部排出口部８bから全て排出されるので、緩衝箱１底部には残留物は皆無となる。
【００１８】
上述したように、傾斜シュート２から緩衝箱１内へ小豆粒が高速で流入し、底面６に形成された小豆粒の層に衝突することにより、緩衝箱１内は小豆粒に混入する塵埃が舞い上がることになる。この塵埃は、排出口７に対向して設けられた連通口１２から集塵箱１３内に流入し、該集塵箱１３の上部に設けた排塵口１４から排出され、終端部に吸引ファン（図示せず）を接続した排塵管１５内を搬送されバッグフィルター等で補足される。
【００１９】
ここで、前記排塵管１５内の吸引力が強すぎて小豆粒が塵埃と共に吸引除去される虞があるが、前記排塵管１５は前記緩衝箱１に直接連結することなく、直方体状の集塵箱１３の長手方向端部に設けた排塵口１４に前記排塵管１５を連結したので、比較的重量の大きな小豆粒は前記集塵箱１３内で失速して前記緩衝箱１側に戻されることとなる。
しかも、前記緩衝箱１及び集塵箱１３は共に傾斜状に設けられ、塵埃は、緩衝箱１及び集塵箱１３内を傾斜下方から上方へ向けて排出されることとなるので、塵埃が円滑に排出される一方、穀物粒が塵埃と共に排出されることはない。
【００２０】
【産業上の利用可能性】
【００２１】
本発明の穀物シュート配管における集塵装置は、簡潔な構成により、効果的な集塵が行えることから極めて利用価値が高い。
【符号の説明】
【００２２】
１    緩衝箱      
２    傾斜シュート
３    流入口
４    流入側移送管
５    連結バンド
６    底面
７    排出口
８    規制板
９    排出樋
１０    排出側移送管
１１    竪シュート
１２    連通口
１３    集塵箱
１４    排塵口
１５    排塵管
【図１】
2018065679.tif 000003
【図２】
2018065679.tif 000004
【図３】
2018065679.tif 000005